(57)【要約】      （修正有）【課題】整形手術によることなく、手軽に且つ安全に、而も外部から見えず、他人に全く気付かれることなく垂れ目を矯正したり、皺を伸ばしたりすることができる美容整形用具の提供。【解決手段】本体部２を中心に反対方向に歯３、４を夫々張り出させると共に、歯３、４の夫々の先端に突起３ａ、４ａを設けてなる、所要の大きさの頭髪巻き付け櫛１を用いる。そしてまた、頭髪巻き付け櫛１と頭髪とを一緒に止めるための、Ｕ字形をなしたクリップ５等からなる止め具を用いて、頭髪を巻き付けた状態の頭髪巻き付け櫛１を固定する。【選択図】図４
0003118482.tif 000002
【実用新案登録請求の範囲】
【請求項１】
本体部を中心に反対方向に歯を夫々張り出させてなる、所要の大きさの頭髪巻き付け櫛と、前記頭髪巻き付け櫛と頭髪とを一緒に止めるための止め具とからなる美容整形用具。
【請求項２】
頭髪巻き付け櫛における夫々反対方向に張り出させた歯を、本体部の軸線に対して直角方向又は斜めに張り出させてなる請求項１記載の美容整形用具。
【請求項３】
頭髪巻き付け櫛における反対方向に張り出させた歯を、歯の列の相互の間隔が、一方側が他方側より若干大きくなしてなる請求項１又は２記載の美容整形用具。
【請求項４】
頭髪巻き付け櫛における歯の夫々の先端に突起を設けてなる請求項１、２又は３記載の美容整形用具。
【請求項５】
頭髪巻き付け櫛と頭髪とを一緒に止めるための止め具がＵ字形をなしたクリップである請求項１、２、３又は４記載の美容整形用具。
【考案の詳細な説明】
【技術分野】
【０００１】
本考案は美容整形用具に関し、更に詳細にはこめかみの上方やや後頭部よりの部位の頭髪を引き上げることによって目尻の皮膚の表面を引っ張り挙げて固定し、目尻が下がった所謂垂れ目を矯正したり、皺を伸ばしたりするようになした美容整形用具に係わる。
【背景技術】
【０００２】
人は誰でも容貌を気にするが、特に目尻が下がった所謂垂れ目は大きなコンプレックスとなる。また年齢が増せば自然と顔、特に目尻の皺が増え、これが悩みの種となる。
【０００３】
そして、これらの点を解消するために整形手術を行うことも一つの手段として採用されているが、これには多大な費用がかかる上に痛みを伴うこともあり、また傷が残る虞もあることから誰でもが気軽にできることではない。
【０００４】
また、このようなことから、整形手術に代わる、手軽に而も安全に美容整形することができるようになした用具も幾つか案出されている。それは、例えば特許文献１に示されたストレッチ・テープや特許文献２に示された外出用美容器具、特許文献３に示された美容パック、特許文献４に示されたしわ、たるみ矯正具等である。
【０００５】
【特許文献１】特開２００４−３１３２７７号公報
【特許文献２】特開２００５−１４４１１３号公報
【特許文献３】特開２００３−  ７９４２９号公報
【特許文献４】特開平９−１６８４２４号公報
【０００６】
これら従来案出されたものは、いずれもそれなりの効果を期待することができるものの、本人以外の者からその存在が見えるものであるため体裁が悪い。尚、特許文献２のものも、外出時でも使用できることになっているが、衣服等とのとり合わせによってはマッチしないことがあり得る。
【考案の開示】
【考案が解決しようとする課題】
【０００７】
本考案は上記の点に鑑みなされたものであって、整形手術によることなく、手軽に且つ安全に、而も外部から見えず、他人に全く気付かれることなく垂れ目を矯正したり、皺を伸ばしたりすることができるようになした美容整形用具を提供せんとするものである。
【課題を解決するための手段】
【０００８】
而して、本考案の要旨とするところは、本体部を中心に反対方向に歯を夫々張り出させてなる、所要の大きさの頭髪巻き付け櫛と、前記頭髪巻き付け櫛と頭髪とを一緒に止めるための止め具とからなる美容整形用具にある。
【０００９】
また、上記構成において、頭髪巻き付け櫛における反対方向に張り出させた歯を、歯の列の相互の間隔が、一方側が他方側より若干大きくなるようになしてもよい。これにより、本体部に頭髪を巻き付けるときに交差状態に巻き付けることができ、ゆるむことなく、しっかりと巻き付けることができるものである。また、この歯は本体部の軸線に対して直角方向の他、斜めに張り出すようにしてもよい。
【００１０】
また、上記構成において、頭髪巻き付け櫛における歯の夫々の先端に突起を設けるようにしてもよい。これにより、例えば頭髪巻き付け櫛と頭髪とを一緒に止めるための止め具が、Ｕ字形をなしたクリップ等である場合に、該突起がストッパーとなり、クリップ等の止め具が使用中にずれて歯の先端から脱落してしまうことを防ぐことができるものである。
【００１１】
また、上記構成における頭髪巻き付け櫛と頭髪とを一緒に止めるための止め具としては、Ｕ字形をなしたクリップを用いることが望ましい。この場合には、最後の頭髪巻き付け櫛の固定作業を円滑、迅速に行うことができる。
【考案の効果】
【００１２】
本考案は上記の如き構成であるから、整形手術によることなく、手軽に且つ安全に、而も外部から見えず、他人に全く気付かれることなく垂れ目を矯正したり、皺を伸ばしたりすることができるものである。したがってまた、自宅や外出先を問わず、どこの場所であろうと、また衣服や化粧に全く関係なく、安心して装着使用することができるものである。
【００１３】
また、頭髪巻き付け櫛における反対方向に張り出させた歯を、歯の列の相互の間隔が、一方側が他方側より若干大きくなるようになした場合には、本体部に頭髪を巻き付けるときに交差状態に巻き付けることができ、ゆるむことなく、しっかりと巻き付けることができるものである。
【００１４】
また、頭髪巻き付け櫛における歯の夫々の先端に突起を設けた場合には、該突起がストッパーとなり、クリップ等の止め具が使用中にずれて歯の先端から脱落してしまうことを防ぐことができるものである。
【００１５】
また、頭髪巻き付け櫛と頭髪とを一緒に止めるための止め具として、Ｕ字形をなしたクリップを用いる場合には、最後の頭髪巻き付け櫛の固定作業を円滑、迅速に行うことができるものである。
【考案を実施するための最良の形態】
【００１６】
本考案を実施するための最良の形態は、本体部を中心に反対方向に歯を夫々張り出させると共に、歯の夫々の先端に突起を設けてなる、所要の大きさの頭髪巻き付け櫛と、前記頭髪巻き付け櫛と頭髪とを一緒に止めるための、Ｕ字形をなしたクリップ等からなる止め具とをもって構成することにある。
【実施例】
【００１７】
以下、本考案の実施例について説明する。
図１は頭髪巻き付け櫛の正面図、図２は同左側面図、図３は止め具として用いるクリップの斜視図、図４は頭髪巻き付け櫛と止め具として用いるクリップの使用例を示す正面図、図５は同左側面図、図６は頭髪巻き付け櫛の装着部位の説明図、図７は使用状態の説明図であり、頭髪を巻き付けた状態の頭髪巻き付け櫛の正面図、図８は使用状態の説明図であり、装着完了状態の断面図である。
【００１８】
図中、１は頭髪巻き付け櫛であり、本実施例においては樹脂を用い、これを射出成形することにより製作している。また、該頭髪巻き付け櫛１は、本体部２を中心に反対方向に歯３、４を夫々張り出させると共に、歯３、４の夫々の先端に突起３ａ、４ａを設けている。また、図示はしないが、この歯３、４は本体部２の軸線に対して直角方向の他、斜めに張り出すようにしてもよい。尚、該頭髪巻き付け櫛１の大きさは、本実施例においては、本体２の幅Ｗ１を５ｍｍ、歯の列の長さＬ１を２３．１ｍｍ、両側の歯３、４の先端迄の幅Ｗ２を１９ｍｍとしている。更にまた、一方側の歯３の列の相互の間隔は、他方側の歯４の列の相互の間隔よりも若干大きくなしている。
【００１９】
５は前記頭髪巻き付け櫛１と頭髪とを一緒に止めるための止め具として用いるＵ字形をなしたクリップである。また、該クリップ５は、一方側の先端５ａを他方側の先端５ｂよりも若干長くなし且つ作業中に皮膚を傷つけないように丸みをつけている。尚、止め具としては、クリップ以外にも図示はしないが、ゴム等の適宜のものを採用可能である。
【００２０】
次に、本実施例に係る美容整形用具の使用方法について説明する。
頭髪巻き付け櫛１は、こめかみの上方やや後頭部寄りの部位、即ち図６におけるＡ、Ｂ部分の頭髪を引き上げるものであり、先ず該部分の頭髪Ｈ１を、頭髪巻き付け櫛１の本体部２に、その根元近くまで巻き付ける。そして、該頭髪Ｈ１を引っ張って、図８に示す如く、頭皮Ｐ１を上部に引き上げた状態において、該頭皮Ｐ１より上側に生えている頭髪Ｈ２を頭髪巻き付け櫛１に被せ、この状態においてこれら頭髪巻き付け櫛１と頭髪Ｈ２とをクリップ５をもって挟み止めるものである。これにより頭髪Ｈ２がアンカーとして作用し、頭髪巻き付け櫛１が巻き戻されないように固定されるものである。そして最後にこれらの上や横等の周囲に生えている頭髪Ｈ３で覆い隠せば完了するものである。これにより目尻の皮膚の表面は引っ張り上げられ、垂れ目を矯正したり、皺を伸ばしたりすることができるものである。而も他人には全く気付かれることがないものである。
【図面の簡単な説明】
【００２１】
【図１】頭髪巻き付け櫛の正面図である。
【図２】頭髪巻き付け櫛の左側面図である。
【図３】止め具として用いるクリップの斜視図である。
【図４】頭髪巻き付け櫛と止め具として用いるクリップの使用例を示す正面図である。
【図５】頭髪巻き付け櫛と止め具として用いるクリップの使用例を示す左側面図である。
【図６】頭髪巻き付け櫛の装着部位の説明図である。
【図７】使用状態の説明図であり、頭髪を巻き付けた状態の頭髪巻き付け櫛の正面図である。
【図８】使用状態の説明図であり、装着完了状態の断面図である。
【符号の説明】
【００２２】
１  頭髪巻き付け櫛
２  本体部
３、４  歯
３ａ、４ａ  突起
５  クリップ
【図１】
0003118482.tif 000003
【図２】
0003118482.tif 000004
【図３】
0003118482.tif 000005
【図４】
0003118482.tif 000006
【図５】
0003118482.tif 000007
【図６】
0003118482.tif 000008
【図７】
0003118482.tif 000009
【図８】
0003118482.tif 000010